(57)【特許請求の範囲】
【請求項１】
低圧冷媒吸込配管口の略直上に中圧冷媒吸込配管口を設けた多段式の圧縮機にアキュムレータを固定するアキュムレータ固定装置において、
前記アキュムレータ固定装置は、前記圧縮機の周壁の上部に設けられた固定具と、前記アキュムレータに設けられた取付具とにより構成され、
前記固定具は、圧縮機に固定された固定部と、この固定部の左右両端を圧縮機から離れるように折り曲げて形成した一対の支持部と、これら支持部の先端を夫々外向きに折り曲げて形成した固定孔を有する一対の接合部とを備え、
前記取付具は、前記アキュムレータの周壁に添うように円弧状に形成された保持部と、この保持部の左右両端に夫々外向きに折曲形成され、前記固定孔に対応する取付孔が設けられた取付部とを備え、
前記保持部は、それの上端を前記アキュムレータの上下方向の中央よりも上方に位置させ、且つ、前記取付孔はアキュムレータの上下方向の中央よりも下方に位置させる構成とし、
前記固定具と取付具とは、前記固定孔及び取付孔に挿入される締着具を介して締着されるようにしたことを特徴とするアキュムレータ固定装置。
【請求項２】
前記保持部は、上部円弧片と下部円弧片に分割して構成したことを特徴とする請求項１に記載のアキュムレータ固定装置。
【請求項３】
低圧冷媒吸込配管口の略直上に中圧冷媒吸込配管口を設けた多段式の圧縮機にアキュムレータを固定するアキュムレータ固定装置において、
前記アキュムレータ固定装置は、前記圧縮機の周壁の上部に設けられた固定具と、前記アキュムレータに設けられた取付具とにより構成され、
前記固定具は、圧縮機に固定された固定部と、この固定部の左右両端を圧縮機から離れるように折り曲げて形成した一対の支持部と、これら支持部の先端を夫々外向きに折り曲げて形成した固定孔を有する一対の接合部とを備え、
前記取付具は、前記アキュムレータの周壁に設けられ、前記固定孔に対応する取付孔を備えた一対の取付片により構成され、これら取付片は、それの上端を前記アキュムレータの上下方向の中央よりも上方に位置させ、且つ、前記取付孔はアキュムレータの上下方向の中央よりも下方に位置させる構成とし、
前記固定具と取付具とは、前記固定孔及び取付孔に挿入される締着具を介して締着されるようにしたことを特徴とするアキュムレータ固定装置。
【発明の詳細な説明】
【０００１】
【発明の属する技術分野】
本発明は冷凍・冷蔵用や空気調和機用に使用される圧縮機であって、特にヒートポンプ式給湯機の二酸化炭素冷媒を使用した冷凍ユニットの多段式の圧縮機にアキュムレータを固定するためのアキュムレータ固定装置に関するものである。
【０００２】
【従来の技術】
従来のアキュムレータ固定装置は、例えば、実開平５−１８７３号公報や、特開２００１−３１７４６２号公報に記載されたものがあった。
【０００３】
この公報に記載のアキュムレータ固定装置は、いずれも単圧縮機能の圧縮機にアキュムレータを固定するアキュムレータ固定装置であり、多段に圧縮する多段式の圧縮機にアキュムレータを固定するアキュムレータ固定装置は現在のところ知られていない。
【０００４】
【発明が解決しようとする課題】
この発明は上記の問題点を解消するためになされたもので、多段式の圧縮機にアキュムレータを固定するアキュムレータ固定装置を提供することを目的とする。
【０００５】
【課題を解決するための手段】
上記目的を達成するために、請求項１に記載の発明は、低圧冷媒吸込配管口の略直上に中圧冷媒吸込配管口を設けた多段式の圧縮機にアキュムレータを固定するアキュムレータ固定装置において、前記アキュムレータ固定装置は、前記圧縮機の周壁の上部に設けられた固定具と、前記アキュムレータに設けられた取付具とにより構成され、前記固定具は、圧縮機に固定された固定部と、この固定部の左右両端を圧縮機から離れるように折り曲げて形成した一対の支持部と、これら支持部の先端を夫々外向きに折り曲げて形成した固定孔を有する一対の接合部とを備え、前記取付具は、前記アキュムレータの周壁に添うように円弧状に形成された保持部と、この保持部の左右両端に夫々外向きに折曲形成され、前記固定孔に対応する取付孔が設けられた取付部とを備え、前記保持部は、それの上端を前記アキュムレータの上下方向の中央よりも上方に位置させ、且つ、前記取付孔はアキュムレータの上下方向の中央よりも下方に位置させる構成とし、前記固定具と取付具とは、前記固定孔及び取付孔に挿入される締着具を介して締着されるようにしたことを特徴とする。
【０００６】
請求項２に記載の発明は、請求項１に記載のアキュムレータ固定装置において、前記保持部は、上部円弧片と下部円弧片に分割して構成したことを特徴とする。
【０００７】
請求項３に記載の発明は、低圧冷媒吸込配管口の略直上に中圧冷媒吸込配管口を設けた多段式の圧縮機にアキュムレータを固定するアキュムレータ固定装置において、前記アキュムレータ固定装置は、前記圧縮機の周壁の上部に設けられた固定具と、前記アキュムレータに設けられた取付具とにより構成され、前記固定具は、圧縮機に固定された固定部と、この固定部の左右両端を圧縮機から離れるように折り曲げて形成した一対の支持部と、これら支持部の先端を夫々外向きに折り曲げて形成した固定孔を有する一対の接合部とを備え、前記取付具は、前記アキュムレータの周壁に設けられ、前記固定孔に対応する取付孔を備えた一対の取付片により構成され、これら取付片は、それの上端を前記アキュムレータの上下方向の中央よりも上方に位置させ、且つ、前記取付孔はアキュムレータの上下方向の中央よりも下方に位置させる構成とし、前記固定具と取付具とは、前記固定孔及び取付孔に挿入される締着具を介して締着されるようにしたことを特徴とする。
【０００８】
【発明の実施の形態】
以下、本発明の第１の実施形態を図１乃至図８に基づき説明する。図１は本発明の実施の形態に係るヒートポンプ給湯装置の概略構成説明図、図２は本発明の実施の形態に係る冷凍ユニットの正面図、図３は冷凍ユニットの据付例を兼ねた平面図、図４は冷凍ユニットの機器平面配置図、図５は実施形態１における取付具に固定されたアキュムレータを圧縮機の外周壁に設けられた固定具から取り外ずした状態を示す説明図、図６は図５におけるアキュムレータを取り付けた状態を示す説明図、図７は図６の平面視図、図８は実施形態１における取付具の斜視図である。なお、図１において、実線矢印は冷媒の流れを示している。また、図５、６において、一点鎖線はアキュムレータの中心線を示す。
【０００９】
実施形態１：本発明に係るヒートポンプ式給湯装置は、図１に示すように、冷凍ユニット１と、貯湯ユニット２とから成っている。また、この冷凍ユニット１と貯湯ユニット２とは、別体として構成されている。
【００１０】
冷凍ユニット１は、図１及び図４に示すように、圧縮機１１、圧縮機吐出ガスで給湯水を加熱する給湯水加熱器１２、電動膨張弁などの膨張装置１３、外気と熱交換して蒸発作用を行う室外熱交換器１４、アキュムレータ１５を少なくとも備えている。これら機器は、順次接続されて冷媒回路１０を形成している。
【００１１】
また、冷凍ユニット１は、区画壁３３Ｃ（図１、図４参照）により、圧縮機１１、膨張装置１３、室外熱交換器１４、アキュムレータ１５、室外ファン１６などを備えた圧縮機部２１と、給湯水加熱器１２などを備えた熱交換器部２２とに区画され、これら各部２１、２２のケーシングも概ね各部用に区分して構成されている。
【００１２】
圧縮機部２１のケーシングは、底フレーム３１と、前板３２と、左側板３３Ａ、背板３３Ｂ及び熱交換器部２２との区画壁３３Ｃを一体に構成した平面視略コ字状の外板３３と、天板３４とを備えている。（図２、４参照）尚、前板３２には吹出グリル３５が形成され、左側板３３Ａ及び背板３３Ｂには吸入グリル（外気吸入口）３６、３７が形成されている。また、底フレーム３１の左側部には、ドレン排水口３１Ａが設けられている。圧縮機部２１はこのようなケーシングにより区画形成されるが、その内部は、更に、仕切壁３８により熱交換室４１と機器室４２とに仕切られている。（図１、４参照）
そして、熱交換室４１内には、左側板３３Ａの吸入グリル３６及び背板３３Ｂの吸入グリル（外気吸入口）３７に対面するようにＬ形に形成された室外熱交換器１４が配置され、この室外熱交換器１４の前面部に室外ファン１６が配置されている。（図４参照）また、機器室４２内には、圧縮機１１、膨張装置１３、アキュムレータ１５、電装品箱（図示せず）が配置されている。（図１参照）尚、前述の区画壁３３Ｃには、図示しない電装品箱に対するサービス窓、冷媒配管や電線などを貫通させるための貫通口（いずれも図示せず）が形成されている。
【００１３】
次に、熱交換器部２２は、底板５１と、背面の背板の大部分をなす平板形状の外板５２と、背面の背板の残部、側面の右側板及び前面の前板の三面の板部を一体に形成した略Ｊ形、即ち、多面形状の外板５３と、天板５４とから区画形成されている。尚、平板形状の外板５２及び多面形状の外板５３は、区画壁３３Ｃと底板５１とに対しネジ止等により着脱自在に固定されている。したがって、この多面形状の外板５３は、圧縮機２１に対し着脱自在とされている。
【００１４】
尚、本発明において、「外気吸入口を有する背面」とは、前述の外板３３の背板３３Ｂ、平面形状の外板５２及び外板５３の背板５３Ａが取付けられている面のことをいう。また、「外気吸入口を有する背面に取付けられる外板」とは、外板３３の背板３３Ｂ、平面形状の外板５２及び外板５３の背板５３Ａの総称を意味する。
【００１５】
そして、このように区画形成された熱交換器部２２内には、給湯水加熱器１２が配設されている。また、底板５１における背面、即ち、平面形状の外板５２に面する部分に、給湯水加熱器１２と貯湯タンク８１とを接続する水配管６３用の二個の水配管接手６４を取り付けるための取付板（図示せず）が立設されている。この二個の水配管接手６４は、配管接続部が平板形状の外板５２の外側となるように、且つ、高さ方向に直線状に配列されるように、取付板５５に取り付けられている。また、この水配管接手６４は、水配管接続用直角エルボであり、配管接続方向が背面と平行な面において３６０°可変（回動自在）とされている。
【００１６】
貯湯ユニット２は、詳細構造図は省略するが、図１から分かるように、貯湯タンク８１を備えたものであって、冷凍ユニット１とは独立したユニットとして構成されている。貯湯タンク８１は、水配管６３により前記給湯水加熱器１２と接続されている。水配管６３の途中には、給湯水ポンプ８２が設けられている。貯湯タンク８１には、給湯栓に接続される給湯配管８４、水道水を貯湯タンク８１に補給するための補給水管８５が接続されている。尚、給湯水ポンプ８２は貯湯ユニット２内に設けられている。
【００１７】
また、前記機器室４２内に配置されている圧縮機１１の下部には、低圧の冷媒を吸い込む低圧冷媒吸込配管口１１Ｂと、その略真上に僅かな間隔をもって中圧の冷媒を吸い込む中圧冷媒吸込配管口１１Ａが設けられている。そして、低圧冷媒吸込配管口１１ＢにはＬ字状の低圧冷媒配管ＴＨが接続され、中圧冷媒吸込配管口１１ＡにはＬ字状の中圧冷媒配管ＣＨが接続されている。
【００１８】
さらにまた、圧縮機１１には、液粒を取り除くための円筒状のアキュムレータ１５が設けられ、このアキュムレータ１５からは中圧冷媒吸込配管口１１Ａに当たらないようにコ字状に成形した接続管ＳＨが備えられ、この接続管ＳＨは低圧冷媒配管ＴＨと接続される。そして、アキュムレータ１５を圧縮機１１に固定するためにアキュムレータ固定装置１００が設けられている。また、この圧縮機１１には他に冷媒を吐出するための高圧吐出管ＫＴ及び中圧吐出管ＣＴ等が設けられている。
【００１９】
アキュムレータ固定装置１００は、圧縮機１１の外周壁の上部に設けられた固定金具（固定具）１１０と、アキュムレータ１５に設けられた取付具１２０とにより構成されている。
【００２０】
固定金具１１０は、中間部分に圧縮機１１の外周壁に沿って固定された固定部１１０Ａを有し、この固定部１１０Ａの左右両端を圧縮機１１から離れるように折り曲げて形成した一対の支持部１１０Ｂと、これら支持部１１０Ｂの先端を夫々外側に向かって折り曲げて形成した固定孔１１０Ｄを有する一対の接合部１１０Ｃとを備えている。
【００２１】
取付具１２０は、アキュムレータ１５の周壁に添うように円弧状に形成された保持部１２１と、この保持部１２１の左右両端に夫々外向きに折曲形成され、固定孔１１０Ｄに対応する取付孔１２０Ｄが設けられた取付部１２０Ｃとを備えている。そして、保持部１２１は、それの上端１２１Ａをアキュムレータ１５の上下方向の中央、即ち、中心線１５Ｃよりも上方に位置させ、且つ、取付孔１２１Ｄはアキュムレータ１５の上下方向の中央、即ち、中心線１５Ｃよりも下方に位置させる構成としている。
【００２２】
そして、固定金具１１０と取付具１２０とは、固定孔１１０Ｄ及び取付孔１２０Ｄに挿入されるボルトＢ（締着具）を介して締着される。
【００２３】
また、取付具１２０の取付部１２０Ｃは、前記接続管ＳＨよりも固定具１１０側に偏って設けられている。
【００２４】
前述のように構成されたヒートポンプ式給湯装置は、一般家庭に取り付ける場合は、例えば、図３に示すように据付けられる。即ち、外気を吸排気することが必要な冷凍ユニット１は、吸込グリル（外気吸気口）３７を有する背面を壁面側としてベランダの壁面Ｗのコーナ部に取り付けられる。一方、貯湯ユニット２は、外気を吸排気することがないので、この冷凍ユニット１の据付場所とは全く別の適宜の場所に取り付けられる。
【００２５】
また、冷凍ユニット１と貯湯ユニット２とを接続するのに必要な水配管６３は、水配管接手６４が冷凍ユニット１の背面に取り付けられる外板部分に上下に設けられているので、水配管６３を相互に干渉されることなく壁面Ｗに沿わせて整然と敷設することができる。
【００２６】
また、水配管接手６４は、水配管接続用直角エルボとされ、配管接続方向が背面に平行な面で３６０°変更できるので、例えば、貯湯ユニット２の取り付け位置により配管接続方向を右方向又は左方向何れかに変更して、冷凍ユニット１から目的の方向に対し、容易に直接的に配管することができる。従って、水配管６３に必要なスペースを小さくすることができ、惹いては、水配管６３のスペースを含めた前後方向の寸法Ｄ図（図３参照）を小さくすることができ、冷凍ユニット１の据付スペースを小さくすることができる。
【００２７】
さらにまた、冷凍ユニット１自体も、圧縮機部２１と熱交換機部２２とが、吸込みグリル（外気吸入口）３７を有する面に向かって左右に配置されているので、前後方向の寸法Ｔ（図３参照）を小さくすることができ、より一層冷凍ユニット１の据付けスペースを低減することができる。
【００２８】
また、冷凍ユニット１の据付けに際し必要とされる電源の配線作業は、電源端子盤６５が水配管接手６４の近傍に取り付けられているので、冷凍ユニット１の背面側で目立たないように接続処理することができ、体裁が良くなる。また、このような配線作業は、熱交換機部２２の背板を構成する平面形状の外板５２に設けられたサービス蓋５２Ａから行うことができるので、作業が容易となる。
【００２９】
また、アキュムレータ固定装置１００は、圧縮機１１の周壁の上部に固定された固定金具１１０とアキュムレータ１５に固定された取付具１２０とにより構成され、取付具１２０は、アキュムレータ１５の周壁に添うように円弧状に形成した保持部１２１を有している。そして、この保持部１２１は、それの上端１２１Ａをアキュムレータ１５の上下方向の中央、即ち、中心線１５Ｃよりも上方に位置させ、且つ、取付孔１２１Ｄはアキュムレータ１５の上下方向の中央、即ち、中心線１５Ｃよりも下方に位置させて、ボルトＢ（締着具）により締着されるので、圧縮機１１の振動によるアキュムレータ１５の揺れを小さくすることができ、配管の溶接部の亀裂などを防止することができる。
【００３０】
また、保持部１２１を上部円弧片１２０Ａと下部円弧片１２０Ｂに分割して構成したので、図５に示すようにアキュムレータ１５の外径が異なっていても確実に溶接で固定でき、圧縮機１１の振動によるアキュムレータ１５の揺れを小さくすることができ、配管の溶接部の亀裂などを防止することができる。
【００３１】
また、取付具１２０の取付部１２０Ｃは、前記接続管ＳＨよりも固定具１１０側に偏って設けられているので、中圧冷媒吸込配管口１１Ａが低圧冷媒吸込配管口１１Ｂの略真上に僅かな間隔をもって設けられた構造の圧縮機１１でも、中圧冷媒吸込配管口１１Ａと、接続管ＳＨとは接触することがない。
【００３２】
実施形態２：次に本発明の第２の実施形態について図１乃至図４、図９乃至図１２に基づき説明する。図９は実施形態２における取付具に固定されたアキュムレータを圧縮機の外周壁に設けられた固定具から取り外ずした状態を示す説明図、図１０は図９におけるアキュムレータを取り付けた状態を示す説明図、図１１は図１０の平面視図、図１２は実施形態２における取付具の斜視図である。なお、前記図１乃至図４、図９乃至図１２において、前述した第１の実施形態と同一構成要素には同一符号を付して説明を省略する。
【００３３】
図９乃至図１２において、アキュムレータ固定装置２００は、圧縮機１１の外周壁の上部に溶接にて固定された固定金具１１０と、アキュムレータ１５に取り付けられる取付具２１０とにより構成され、さらに取付具２１０は、固定孔１１０Ｄに対応する取付孔２１１Ａ、２１１Ｂを備えた一対の取付片２１０Ａと２１０Ｂとにより構成されている。この一対の取付片２１０Ａ、２１０Ｂは、前記接合部１１０Ｃと接合される接合面２１０Ｅ、２１０Ｆが略直線の延長線上になるように、また、夫々の上端２１１Ｃ、２１１Ｄをアキュムレータ１５の上下方向の中央、即ち、中心線１５Ｃよりも上方に位置させ、且つ、その取付孔２１１Ａ、２１１Ｂはアキュムレータ１５の上下方向の中央、即ち、中心線１５Ｃよりも下方に位置させ、アキュムレータ１５の周壁にそれぞれ溶接にて固定される構成としている。
【００３４】
そして、固定金具１１０と取付具２１０とは、固定孔１１０Ｄ及び取付孔２１０Ｄに挿入されるボルトＢ（締着具）を介して締着される。
【００３５】
また、取付具２１０の取付片２１０Ａ、２１０Ｂは、前記接続管ＳＨよりも固定具１１０側に偏って設けられている。
【００３６】
第２の実施形態は前述のように構成されているので、図９に示すようにアキュムレータ１５の外径が同一のときは取付具２１０を簡単な形状で作成でき、確実に溶接で固定できるため、圧縮機１１の振動によるアキュムレータ１５の揺れを小さくすることができ、配管の溶接部の亀裂などを防止することができる。
【００３７】
また、取付具２１０の取付片２１０Ａ、２１０Ｂは、前記接続管ＳＨよりも固定具１１０側に偏って設けられているので、中圧冷媒吸込配管口１１Ａが低圧冷媒吸込配管口１１Ｂの略真上に僅かな間隔をもって設けられた構造の圧縮機１１でも、中圧冷媒吸込配管口１１Ａと、接続管ＳＨとは接触することがない。
【００３８】
以上、２つの実施形態に基づいて本発明を説明したが、本発明はこれに限定されるものではない。
【００３９】
【発明の効果】
以上説明したように、請求項１に記載の本発明によれば、低圧冷媒吸込配管口の略直上に中圧冷媒吸込配管口を設けた多段式の圧縮機にアキュムレータを固定するアキュムレータ固定装置において、前記アキュムレータ固定装置は、前記圧縮機の周壁の上部に設けられた固定具と、前記アキュムレータに設けられた取付具とにより構成され、前記固定具は、圧縮機に固定された固定部と、この固定部の左右両端を圧縮機から離れるように折り曲げて形成した一対の支持部と、これら支持部の先端を夫々外向きに折り曲げて形成した固定孔を有する一対の接合部とを備え、前記取付具は、前記アキュムレータの周壁に添うように円弧状に形成された保持部と、この保持部の左右両端に夫々外向きに折曲形成され、前記固定孔に対応する取付孔が設けられた取付部とを備え、前記保持部は、それの上端を前記アキュムレータの上下方向の中央よりも上方に位置させ、且つ、前記取付孔はアキュムレータの上下方向の中央よりも下方に位置させる構成とし、前記固定具と取付具とは、前記固定孔及び取付孔に挿入される締着具を介して締着されるようにしたので、圧縮機の振動によるアキュムレータの揺れを小さくすることができ、配管の溶接部の亀裂などを防止することができる。
【００４０】
請求項２に記載の本発明によれば、請求項１に記載のアキュムレータ固定装置において、前記保持部は、上部円弧片と下部円弧片に分割して構成したので、アキュムレータの外径が異なっている場合でもその外径に添った円弧片で固定できるので、圧縮機の振動によるアキュムレータの揺れを小さくすることができ、配管の溶接部の亀裂などを防止することができる。
【００４１】
請求項３に記載の発明は、低圧冷媒吸込配管口の略直上に中圧冷媒吸込配管口を設けた多段式の圧縮機にアキュムレータを固定するアキュムレータ固定装置において、前記アキュムレータ固定装置は、前記圧縮機の周壁の上部に設けられた固定具と、前記アキュムレータに設けられた取付具とにより構成され、前記固定具は、圧縮機に固定された固定部と、この固定部の左右両端を圧縮機から離れるように折り曲げて形成した一対の支持部と、これら支持部の先端を夫々外向きに折り曲げて形成した固定孔を有する一対の接合部とを備え、前記取付具は、前記アキュムレータの周壁に上下方向に設けられ、取付孔を有する一対の取付片により構成され、前記取付具は、前記アキュムレータの周壁に設けられ、前記固定孔に対応する取付孔を備えた一対の取付片により構成され、これら取付片は、それの上端を前記アキュムレータの上下方向の中央よりも上方に位置させ、且つ、前記取付孔はアキュムレータの上下方向の中央よりも下方に位置させる構成とし、前記固定具と取付具とは、前記固定孔及び取付孔に挿入される締着具を介して締着されるようにしたので、より簡単な構造で圧縮機の振動によるアキュムレータの揺れを小さくすることができ、配管の溶接部の亀裂などを防止することができる。
【図面の簡単な説明】
【図１】この発明の実施の形態を示ヒートポンプ式給湯装置の概略の機器構成説明図である。
【図２】この発明の実施の形態を示す冷凍ユニットの正面図である。
【図３】この発明の実施の形態を示す冷凍ユニットの据付け例を兼ねた平面図である。
【図４】この発明の実施の形態を示す冷凍ユニットの機器平面配置図である。
【図５】この発明の実施形態１における取付具に固定されたアキュムレータを固定具から取り外した状態を示す説明図である。
【図６】この発明の実施形態１における取付具に固定されたアキュムレータを固定具に取り付けた状態を示す説明図である。
【図７】この発明の実施形態１における図６の平面視図である。
【図８】この発明の実施形態１における取付具の斜視図である。
【図９】この発明の実施形態２における取付具に固定されたアキュムレータを固定具から取り外した状態を示す説明図である。
【図１０】この発明の実施形態２における取付具に固定されたアキュムレータを固定具に取り付けた状態を示す説明図である。
【図１１】この発明の実施形態２における図１０の平面視図である。
【図１２】この発明の実施形態２における取付具の斜視図である。
【符号の説明】
１１        圧縮機
１１Ａ      中圧冷媒吸込配管口
１１Ｂ      低圧冷媒吸込配管口
１５        アキュムレータ
１５Ｃ      中心線（中央）
１００      アキュムレータ固定装置（実施形態１）
１１０      固定金具（固定具）
１１０Ａ    固定部
１１０Ｂ    支持部
１１０Ｃ    接合部
１１０Ｄ    固定孔
１２０      取付具（実施形態１）
１２０Ａ    上部円弧片
１２１      保持部
１２１Ａ    上端
１２０Ｂ    下部円弧片
２００      アキュムレータ固定装置（実施形態２）
２１０      取付具（実施形態２）
２１０Ａ    取付片
２１０Ｂ    取付片
２１１Ａ    取付孔（実施形態２）
２１１Ｂ    取付孔（実施形態２）
２１１Ｃ    上端（実施形態２）
２１１Ｄ    上端（実施形態２）
Ｂ          ボルト（締着具）
【図１】
0003706575.tif 000002
【図２】
0003706575.tif 000003
【図３】
0003706575.tif 000004
【図４】
0003706575.tif 000005
【図５】
0003706575.tif 000006
【図６】
0003706575.tif 000007
【図７】
0003706575.tif 000008
【図８】
0003706575.tif 000009
【図９】
0003706575.tif 000010
【図１０】
0003706575.tif 000011
【図１１】
0003706575.tif 000012
【図１２】
0003706575.tif 000013